【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
回転可能に設けられ、回転に伴い記録材に間欠的に接触する第１接触部を有して、当該記録材を搬送する第１搬送部材と、
回転可能に設けられ、回転に伴い記録材に間欠的に接触すると共に反発弾性率及び硬度が前記第１接触部と比較して低く設定された第２接触部を有して、当該記録材を搬送する
第２搬送部材と、
を備えていることを特徴とする搬送装置。
【請求項２】
前記第１搬送部材と前記第２搬送部材とは、共通の軸部材に取り付けられることを特徴とする請求項１に記載の搬送装置。
【請求項３】
前記第２接触部は、ゴム部材であり、反発弾性率が７５％以下かつ硬度（ＪＩＳ−Ａ）が３３以下に設定されることを特徴とする請求項２に記載の搬送装置。
【請求項４】
前記第２接触部は、反発弾性率が６５％以下に設定されることを特徴とする請求項３に記載の搬送装置。
【請求項５】
記録材に画像を形成する画像形成部と、
回転可能に設けられ、回転に伴い前記画像形成部により画像が形成された前記記録材に間欠的に接触する第１接触部を有して、当該記録材を搬送する第１搬送部材と、
回転可能に設けられ、回転に伴い前記画像形成部により画像が形成された前記記録材に間欠的に接触すると共に反発弾性率及び硬度が前記第１接触部と比較して低く設定された第２接触部を有して、当該記録材を搬送する第２搬送部材と、
を備えることを特徴とする画像形成システム。
【請求項６】
前記第２搬送部材は、前記第１搬送部材と比較して回転速度が大きいことを特徴とする請求項５に記載の画像形成システム。
【請求項７】
前記第２搬送部材は、前記第１搬送部材と比較して装置の外側寄りに配置されることを特徴とする請求項５又は６に記載の画像形成システム。
【請求項８】
前記第２接触部は、ゴム部材であり、反発弾性率が７５％以下かつ硬度（ＪＩＳ−Ａ）が３３以下に設定されることを特徴とする請求項５乃至７のいずれか１項に記載の画像形
成システム。
【請求項９】
前記第２接触部は、反発弾性率が６５％以下に設定されることを特徴とする請求項８に記載の画像形成システム。
【請求項１０】
画像が形成された記録材を積載する積載部と、
回転可能に設けられ、回転に伴い前記積載部における前記記録材に間欠的に接触する第１接触部を有して、当該積載部の前記記録材を搬送する第１搬送部材と、
回転可能に設けられ、回転に伴い前記積載部における前記記録材に間欠的に接触すると共に反発弾性率及び硬度が前記第１接触部と比較して低く設定された第２接触部を有して、当該記録材を搬送する第２搬送部材と、
を備えることを特徴とする記録材処理装置。
【請求項１１】
中心に空洞を設けた回転軸と
前記回転軸の周囲にあって、媒体に間欠的に接触して当該媒体を搬送するよう複数枚設けられたパドル羽と、を備え
前記パドル羽は、反発弾性率が７５％以下かつ硬度（ＪＩＳ−Ａ）が３３以下のゴムで形成されていることを特徴とするパドル。
【請求項１２】
前記パドル羽は、反発弾性率が１０％以上、硬度２０以上のゴムで形成されていることを特徴とする、請求項１記載のパドル。
【請求項１３】
シャフトと
前記シャフトに通された請求項１１または請求項１２に記載のパドルと
前記シャフトに通され、かつ、前記パドルよりも反発弾性率及び硬度が高く設定された硬パドルと、を備え
前記パドルは、前記硬パドルよりも、媒体の搬送方向に垂直な媒体の幅方向における端部付近に設けられていることを特徴とする搬送部材。
【請求項１４】
シャフトに請求項１に記載のパドルのみが通された第２の搬送部材と
前記シャフトとは異なるシャフトに反発弾性率７６以上及び硬度３４以上のパドル羽をつけたパドルがついた搬送部材と
搬送される媒体の端部に突き当たりこの媒体の移動を規制する規制部と、を備え
前記搬送部材は前記第2の搬送部材と比較して、前記規制部の近くに設けられたことを特徴とする搬送装置。
【手続補正２】
【補正対象書類名】明細書
【補正対象項目名】発明の名称
【補正方法】変更
【補正の内容】
【発明の名称】パドル、搬送装置、画像形成システム及び記録材処理装置
【手続補正３】
【補正対象書類名】明細書
【補正対象項目名】０００１
【補正方法】変更
【補正の内容】
【０００１】
本発明は、パドル、搬送装置、画像形成システム及び記録材処理装置に関する。
【手続補正４】
【補正対象書類名】明細書
【補正対象項目名】０００７
【補正方法】変更
【補正の内容】
【０００７】
請求項１０に記載の発明は、画像が形成された記録材を積載する積載部と、回転可能に設けられ、回転に伴い前記積載部における前記記録材に間欠的に接触する第１接触部を有
して、当該積載部の前記記録材を搬送する第１搬送部材と、回転可能に設けられ、回転に伴い前記積載部における前記記録材に間欠的に接触すると共に反発弾性率及び硬度が前記
第１接触部と比較して低く設定された第２接触部を有して、当該記録材を搬送する第２搬送部材と、を備えることを特徴とする記録材処理装置である。
請求項１１に記載の発明は、中心に空洞を設けた回転軸と、前記回転軸の周囲にあって、媒体に間欠的に接触して当該媒体を搬送するよう複数枚設けられたパドル羽とを備え、前記パドル羽は、反発弾性率が７５％以下かつ硬度（ＪＩＳ−Ａ）が３３以下のゴムで形成されていることを特徴とするパドルである。
請求項１２に記載の発明は、前記パドル羽は、反発弾性率が１０％以上、硬度２０以上のゴムで形成されていることを特徴とする、請求項１記載のパドル。
請求項１３に記載の発明は、シャフトと、前記シャフトに通された請求項１１または請求項１２に記載のパドルと、前記シャフトに通され、かつ、前記パドルよりも反発弾性率及び硬度が高く設定された硬パドルと、を備え、前記パドルは、前記硬パドルよりも、媒体の搬送方向に垂直な媒体の幅方向における端部付近に設けられていることを特徴とする搬送部材である。
請求項１４に記載の発明は、シャフトに請求項１に記載のパドルのみが通された第２の搬送部材と、前記シャフトとは異なるシャフトに反発弾性率７６以上及び硬度３４以上のパドル羽をつけたパドルがついた搬送部材と、搬送される媒体の端部に突き当たりこの媒体の移動を規制する規制部と、を備え、前記搬送部材は前記第２の搬送部材と比較して、前記規制部の近くに設けられたことを特徴とする搬送装置である。
【手続補正５】
【補正対象書類名】明細書
【補正対象項目名】０００８
【補正方法】変更
【補正の内容】
【０００８】
請求項１の発明によれば、記録材を搬送する搬送部材が記録材に接触した際に生じる騒音が低減される。
請求項２の発明によれば、本構成を有しない場合と比較して、複数の搬送部材を共通の軸部材に取り付けた場合における騒音を低減することが可能となる。
請求項３の発明によれば、本構成を有しない場合と比較して、記録材を搬送する搬送部材が記録材に接触した際に生じる騒音を低減することができる。
請求項４の発明によれば、本構成を有しない場合と比較して、記録材を搬送する搬送部材が記録材に接触した際に生じる騒音をさらに低減することが可能となる。
請求項５の発明によれば、記録材を搬送する搬送部材が記録材に接触した際に生じる騒音が低減され、画像形成システムにおける騒音が抑制される。
請求項６の発明によれば、本構成を有しない場合と比較して、回転速度が比較的に大きい搬送部材を設ける場合における騒音を抑制することができる。
請求項７の発明によれば、本構成を有しない場合と比較して、装置の外側に配置される搬送部材の動作に伴う騒音を低減することが可能となる。
請求項８の発明によれば、本構成を有しない場合と比較して、記録材を搬送する搬送部材が記録材に接触した際に生じる騒音を低減することができる。
請求項９の発明によれば、本構成を有しない場合と比較して、記録材を搬送する搬送部材が記録材に接触した際に生じる騒音をさらに低減することが可能となる。
請求項１０の発明によれば、記録材を搬送する搬送部材が記録材に接触した際に生じる騒音が低減され、記録材処理装置における騒音が抑制される。
請求項１１の発明によれば、本構成を有しない場合と比較して、パドルが記録材に接触した際に生じる騒音を低減することができる。
請求項１２の発明によれば、本構成を有しない場合と比較して、搬送不良が発生し易くなったり、油分が付着する可能性が高くなるのを抑制できる。  請求項１３の発明によれば、本構成を有しない場合と比較して、記録材を搬送する搬送部材が記録材に接触した際に生じる騒音を低減することができる。
請求項１４の発明によれば、規制部材近傍で弱いパドルのみを使用する場合や、規制部材の位置に関わらず硬いパドルを使用する場合と比較して、音を抑制しつつ媒体を規制することができる。